(57)【要約】【課題】  従来の音楽理論を解説および視覚化し表示する方法では、完全８度を構成する１２の音階と、音程を指示する名称に複数の言語が使われ、呼称も複数あるために、理論全体を把握し学習するのに困難であり、作曲、編曲などに必要とされる概念的な理解について不便であった。【解決手段】  ２つの板状部材を長辺で平行移動が可能に連結させ、一方にピアノの鍵盤、もう一方にピアノの鍵盤の白と黒に順ずる組み合わせで２色に識別された１列に連続する等幅の升目を表示し、鍵盤と升目は互いに間隔ならびに移動前の位置が一致するように構成することにより、升目を使用し音階および音程を距離的観念によって視覚的に理解することができ、音楽理論の簡便な学習方法を提供するとともに、２つの板状部材が平行移動するために編曲作業時の移調を補助することができ、升目と鍵盤が完全に連動するために升目が示す音にもとづく演奏支援を提供することができる。【選択図】図１
2008262139.tif 000002
【特許請求の範囲】
【請求項１】
２つの板状部材を長辺で長辺方向に相互に平行移動可能に連結したものであって、各板状部材は長辺に平行して、識別可能な位置に表示部を持つことを特徴とする移調早見具ないしその表示方法。
【請求項２】
２つの板状部材を長辺で長辺方向に相互に平行移動可能に連結したものであって、該板状部材の一方はピアノの鍵盤、他方は連続した等幅の升目を表示したことを特徴とする度数表示具ないしその表示方法。
【請求項３】
連続した升目を表示した板状部材に表示された升目は、Ｃ音を基準としてピアノの鍵盤における白鍵および黒鍵に一致する識別可能な２色の色彩を表示したことを特徴とする請求項２記載の度数表示具ないしその表示方法。
【請求項４】
連続した升目を表示した板状部材に表示された２色の色彩の升目が、ピアノの鍵盤の白鍵および黒鍵の排列を再現し、音階を直線上の表示位置によって表示することを特徴とする音階表示方法。
【請求項５】
ピアノの鍵盤を表示された板状部材に表示されたピアノの鍵盤は、該板状部材が平行移動する前の状態において、白鍵および黒鍵が重なり合う部分における各白鍵および各黒鍵が、連続した升目を表示した面の升目に表示された識別可能な２色の色彩と位置、幅ならびに間隔が合致することを特徴とする請求項２記載の度数表示具。
【請求項６】
連続した升目を表示した板状部材でピアノの鍵盤の白鍵および黒鍵の排列を再現した２色の色彩の升目において、ユーザーが所望した調性に該当する升目を、識別可能なマーカーによって表示することによって、調性を一直線上の表示位置によって表示することを特徴とする音階表示方法。
【請求項７】
連続した升目を表示した板状部材でユーザーが所望する音階に含まれる音程を識別可能なマーカーを該音程に充当する升目に表示した後に、各マーカー間の間隔を把握することで、各マーカー間の間隔を維持した状態でルートの音程を指示するマーカーを連続した升目の上を移動させることで、ルートの音程が異なる音階を表示することを特徴とする音階表示方法。
【請求項８】
該板状部材が平行移動する前の状態において、連続した升目を表示した板状部材でユーザーが所望した調性に該当する升目を指示した識別可能なマーカーが、ピアノの鍵盤を表示された板状部材で、マーカーで指示された升目と合致する鍵盤が該調性のための操作子であることを表示することを特徴とする音階表示方法ならびに、演奏支援方法。
【請求項９】
連続した升目を表示した板状部材でユーザーが所望した調性に該当する升目を指示した識別可能なマーカーのうち、ルート音階を表示するマーカーを、請求項２記載のピアノの鍵盤を表示された板状部材で、ユーザーが所望する音程の調性のルート音階に合致する鍵盤の位置まで連続した升目を表示した板状部材を平行移動させることで、連続した升目を表示した面に表示されたマーカーが表示された升目と合致するピアノの鍵盤を表示した板状部材の操作子がユーザーが所望する音程の調性のための操作子であることを表示することを特徴とする調性表示方法ならびに、演奏支援方法。
【請求項１０】
連続した升目を表示した板状部材でユーザーが所望した楽曲のオリジナルの調性のルート音階に該当する升目ならびに、ユーザーが所望した移調後の楽曲の調性のルート音階に該当する升目を識別可能なマーカーが指示した状態で、連続した升目を表示した板状部材を平行移動させ、オリジナルの調性のルート音階を指示するマーカーが表示された升目を、ピアノの鍵盤を表示された板状部材で楽曲内の各調性のルート音階を指示する操作子と合致させることで、移調後の調性のルート音階を示すマーカーが、充当する移調後の各調性のルート音階を指示することを特徴とする調性移調方法ならびに、調性表示方法。
【請求項１１】
該板状部材に表示したピアノの鍵盤の各操作子ならびに連続した升目のうち、ユーザーが所望した調性が含む音階に充当する各操作子ならびに升目に識別可能なマーカーを表示することを特徴とする調性表示方法ならびに、演奏支援方法。
【発明の詳細な説明】
【技術分野】
【０００１】  本発明は音程、音階、調性などの音楽理論学習、作曲および編曲などの作業を効率化するための表示方法に関する。
【背景技術】
【０００２】  従来の音程、音階、調性などの音楽理論を解説および視覚化し表示する方法には、完全八度に含まれる１２音を円盤の上に配置して視覚化したものがある。（例えば、特許文献１参照。）。
また、五線上の音符と連動したものがある。（例えば、非特許文献１参照。）。
【特許文献１】  特開２００２−１０８３３２号  公報
【非特許文献１】  「新音楽理論ワークブック上巻」，北川祐，株式会社リットーミュージック，１９９８年，１９ページ
【発明の開示】
【発明が解決しようとする課題】
【０００３】  従来の音楽理論を解説および視覚化し表示する方法では、完全８度を構成する１２の音階と、音程を指示する名称に複数の言語が使われ、呼称も複数あるために、理論全体を把握し学習するのに困難であり、作曲、編曲などに必要とされる概念的な理解について不便であった。【０００４】  本発明は、このような従来の音楽理論を解説、および視覚化し表示する方法が有していた問題を解決しようとするものであり、音の高さの相関によって生まれる音程、音階および調性などの理解を簡便にし、作曲、編曲における調性の確認、移調などの作業の効率化することを目的とするものである。
【課題を解決するための手段】
【０００５】  そして、本発明は上記目的を達成するために、２つの板状部材を長辺で長辺方向に相互に平行移動可能に連結したものであって、各板状部材は長辺に平行して、識別可能な位置に表示部を設けた移調早見具ないしその表示方法である。【０００６】  上記の課題解決手段による作用は次の通りである。すなわち、２つの板状部材を長辺で長辺方向に相互に平行移動可能に連結したものであって、該板状部材の一方はピアノの鍵盤、他方は連続した等幅の升目が表示されたものである。【０００７】  連続した升目を表示した板状部材に表示された升目は、Ｃ音を基準としてピアノの鍵盤における白鍵および黒鍵に一致する識別可能な２色の色彩で色分けされ、ピアノの鍵盤のように音階を認識することができる。【０００８】  また、ピアノの鍵盤を表示された板状部材に表示されたピアノの鍵盤は、該板状部材が平行移動する前の状態において、白鍵および黒鍵が重なり合う部分における各白鍵および各黒鍵が、連続した升目を表示した板状部材の升目に表示された識別可能な２色の色彩と位置、幅ならびに間隔が合致することで２つの板状部材で音階、音程ならびに調性を等しい位置関係で表現することができる。
【発明の効果】
【０００９】  上述したように、本発明の２つの板状部材は、ピアノの鍵盤と整合性のある２色の色彩の連続した升目によって、音階を直線上に等間隔に配置し、音程、音階、調性、移調といった音楽理論に定規のような普遍的な尺度を与えることで、音楽理論の解釈を助けることができる。【００１０】  また、２つの板状部材の一方に表示されたピアノの鍵盤との整合性を持ち、且つ、普遍的な連続性をもつ、もう一方に表示された升目が、升目の数という単純な目盛りの構成で視覚的、且つ、直感的な調性の理解を助け、その上２つの板状部材が相互に平行移動可能であるために、作曲、編曲における調性の確認、移調などの作業の効率化を提供できるものである。
【発明の実施するための最良の形態】
【００１１】  以下、本発明の実施の形態を図１に基づいて説明する。
【００１２】  図においては、２つの板状部材のうち、１２はピアノの鍵盤を表示し、１１は連続性のある当幅の升目を表示し、１２と１１は長辺方向に相互に平行移動が可能である。
【００１３】  １１の連続する升目の均一な幅１３は、１２の黒鍵を示す操作子１２０２、１２０４、１２０７、１２０９、１２１１と、白鍵を示す操作子１２０１、１２０３、１２０５、１２０６、１２０８、１２１０、１２１２が重なり合う部分における各操作子の均一な間隔１４と同一であるために、１１と１２が完全８度を表現するのにそれぞれ必要な１２の操作子を排列した長さは等しく、また、１１と１２を左右揃えて配置した場合、１１の升目のうち、１つめの色彩で表示される升目１１０１、１１０３、１１０５、１１０６、１１０８、１１１０、１１１２と１２の白鍵は同じ位置を示し、１１の升目のうち、２つめの色彩で表示される升目１１０２、１１０４、１１０７、１１０９、１１１１と１２の黒鍵は同じ位置を示すために、１１の連続する２つの色彩で表示された、均一な幅の升目はピアノの鍵盤の排列を直線上に排列したものであることが視覚的に理解できる。
【００１４】  １１、１２の全ての操作子にはペンなどの筆記具ないしは、電子的にプログラムされた記号など、１１、１２が表示されている状況に応じた方法に応じた手段を用いて、特定の操作子を指示するためのマーカー１５を表示させることができる。
【００１５】  １１、１２は表示されている状況が許容する範囲内において、水平方向に連続して排列することが可能であり、それにより、複数のオクターブを表示することができる。
【００１６】  以下、上記構成の動作を説明する。１１と１２が起点となるＣ音を指示する１１０１と１２０１を一致させるように配置された状態で、ユーザーが１２上で任意の調性を示す複数の１５を１２の操作子に表示させた後に、１５を１１まで垂直方向に移動させることで、任意の調性の音程を升目の数という普遍的な数値ないし位置関係で把握することができる。
【００１７】  また、１１に任意の音程、音階、調性ないしコードを示す１５が表示された状態で、１１を１２に平行に水平に移動させ、ルートを示す最も左側に位置する１５を、１２上の任意の操作子と一致させることで、１１に示した調性を任意の操作子をルートとした調性に移調することができる。また、１１に示された１５を１２まで垂直方向に移動させることで、ピアノなど鍵盤を用いる楽器を演奏する際に操作すべき操作子の位置を把握することができる。
【００１８】  また、ユーザーが所望した任意の楽曲のオリジナルの調性のルート音階に該当する１１上の升目に１５を表示させ、ユーザーが所望した移調後の楽曲の調性のルート音階に該当する１１上の升目に次なる１５を表示させた状態で、任意の楽曲のオリジナルの調性のルート音階の遷移に合わせて、１１上のオリジナルの調性のルート音階を示す１５を、１２の該当する音階に次々に移動させていき、同時に１１上の移調後の楽曲の調性のルート音階を示す１５がその位置によって示す１２の音階を記録することで、移調後の調性を把握することができる。
【実施例】
【００１９】  以下、本発明の実施例を図１〜図６に基づいて説明する。【００２０】  図においては１２上の任意の操作子に表示された１５である、２２１、２２２、２２３はそれぞれにＣ、Ｅ、Ｇの音程を示し、これはＣメジャーというコードを構成する。また、Ｃで１２と一致して配置した１１に、１２上に表示される任意の３つの１５を垂直方向に移動させた２１１、２１２、２１３も同じくＣメジャーを構成し、ここでメジャーと呼ばれるコードはルートの音程に対し、３１１の間隔で２番目の１５を、３１２の間隔で３番目の１５を配置することで構成されることが視覚的に理解することができる。【００２１】  １１上においてＣメジャーを示す２１１、２１２、２１３の３つの１５を維持した状態で、１１を水平方向に４１１の距離を移動させ、ルートの音程を示す２１１が表示されている升目１１０１が１２でＥ音を示す操作子１２０５の位置と一致させると、Ｃメジャーのコードを示す１１上の１５を１２に垂直方向に移動させると、４２１、４２２、４２３の位置に１５が表示され、操作子１２０５、１２０９、１２１２を示すことができ、１２０５が示すＥ音をルートの音程としたメジャーコードであるＥメジャーはＥ、Ｇシャープ、Ｂの３つの音程で構成されることが視覚的に理解することができる。【００２２】  ユーザーが所望する任意の楽曲のコード進行がＣメジャーから始まる調性５１１、５１２、５１３、５１４で構成される５１である場合に、完全４度の音程差のあるＦメジャーから始まる楽曲に移調させるとき、１１上でＣメジャーのルートの音程Ｃを示す升目１１０１にマーカー６１１を表示させ、Ｆメジャーのルートの音程Ｆを示す升目１１０６にマーカー６１２を表示させ、移調の音程差を設定した後に、任意の楽曲の二つ目の調性５１２のルートの音程Ａを示す１２上の操作子６２０９と６１１が一致するまで１１と１２を水平方向に移動させると、６１２は１２上の操作子６２０２を示すために、５１２を完全４度移調させると、５２２が得られることが視覚的に理解することができ、同様の操作を５１３、５１４に対して行うことで、楽曲５１から５２への移調作業を効率的に行うことができる。
【図面の簡単な説明】
【００２３】
【図１】  本発明の実施形態を示す２つの板状部材の全体図
【図２】  同板状部材の実施例を示す操作図
【図３】  同板状部材の図２における実施例の詳細を示す操作図
【図４】  同板状部材の図２における実施例の応用詳細を示す操作図
【図５】  同板状部材の実施例を示す楽曲のコード進行を示す図
【図６】  同板状部材の図５における実施例を示す操作図
【符号の説明】
【００２４】１１  連続した升目を表示した板状部材
１２  ピアノの鍵盤を表示した板状部材
１３  連続した升目の幅
１４  ピアノの鍵盤を表示した板状部材の白鍵と黒鍵が重なる部分の操作子の幅
１５  操作子および升目を指示するマーカー
１１０１  連続した升目を表示した板状部材でＣ音を示す升目
１１０２  連続した升目を表示した板状部材でＣシャープ音およびＤフラット音を示す升目
１１０３  連続した升目を表示した板状部材でＤ音を示す升目
１１０４  連続した升目を表示した板状部材でＤシャープ音およびＥフラット音を示す升目
１１０５  連続した升目を表示した板状部材でＥ音を示す升目
１１０６  連続した升目を表示した板状部材でＦ音を示す升目
１１０７  連続した升目を表示した板状部材でＦシャープ音およびＧフラット音を示す升目
１１０８  連続した升目を表示した板状部材でＧ音を示す升目
１１０９  連続した升目を表示した板状部材でＧシャープ音およびＡフラット音を示す升目
１１１０  連続した升目を表示した板状部材でＡ音を示す升目
１１１１  連続した升目を表示した板状部材でＡシャープ音およびＢフラット音を示す升目
１１１２  連続した升目を表示した板状部材でＢ音を示す升目
１２０１  ピアノの鍵盤を表示した板状部材でＣ音を示す操作子
１２０２  ピアノの鍵盤を表示した板状部材でＣシャープ音およびＤフラット音を示す操作子
１２０３  ピアノの鍵盤を表示した板状部材でＤ音を示す操作子
１２０４  ピアノの鍵盤を表示した板状部材でＤシャープ音およびＥフラット音を示す操作子
１２０５  ピアノの鍵盤を表示した板状部材でＥ音を示す操作子
１２０６  ピアノの鍵盤を表示した板状部材でＦ音を示す操作子
１２０７  ピアノの鍵盤を表示した板状部材でＦシャープ音およびＧフラット音を示す操作子
１２０８  ピアノの鍵盤を表示した板状部材でＧ音を示す操作子
１２０９  ピアノの鍵盤を表示した板状部材でＧシャープ音およびＡフラット音を示す操作子
１２１０  ピアノの鍵盤を表示した板状部材でＡ音を示す操作子
１２１１  ピアノの鍵盤を表示した板状部材でＡシャープ音およびＢフラット音を示す操作子
１２１２  ピアノの鍵盤を表示した板状部材でＢ音を示す操作子
２１１  連続した升目を表示した板状部材上でＣ音を示すマーカー
２１２  連続した升目を表示した板状部材上でＥ音を示すマーカー
２１３  連続した升目を表示した板状部材上でＧ音を示すマーカー
２２１  ピアノの鍵盤を表示した板状部材上でＣ音を示すマーカー
２２２  ピアノの鍵盤を表示した板状部材上でＥ音を示すマーカー
２２３  ピアノの鍵盤を表示した板状部材上でＧ音を示すマーカー
３１１  連続した升目を表示した板状部材上で長３度の距離
３１２  連続した升目を表示した板状部材上で完全５度の距離
４１１  Ｃコードの基本形からＥコードの基本形を導くために連続した升目を表示した板状部材を移動させる距離
４２１  ピアノの鍵盤を表示した板状部材上でＥ音を示すマーカー
４２２  ピアノの鍵盤を表示した板状部材上でＧシャープ音およびＡフラット音を示すマーカー
４２３  ピアノの鍵盤を表示した板状部材上でＢ音を示すマーカー
５１  Ｃメジャーの任意の楽曲のコード進行
５２  Ｃメジャーの任意の楽曲から完全４度移調したＦメジャーのコード進行
５１１  Ｃメジャーコード
５１２  Ａマイナーコード
５１３  Ｄマイナーコード
５１４  Ｇメジャーコード
５２１  Ｃメジャーコードから完全４度移調したＦメジャーコード
５２２  Ａマイナーコードから完全４度移調したＤマイナーコード
５２３  Ｄマイナーコードから完全４度移調したＧマイナーコード
５２４  Ｇメジャーコードから完全４度移調したＣメジャーコード
６１１  Ｃメジャーコードのルート音を示す連続した升目を表示した板状部材上のマーカー
６１２  Ｃメジャーコードから完全４度移調したＦメジャーコードのルート音を示す連続した升目を表示した板状部材上のマーカー
６２１  Ｃメジャーの任意の楽曲に含まれるＡマイナーコードのルート音を示すピアノの鍵盤を表示した板状部材上のマーカー
６２２  Ｃメジャーの任意の楽曲から完全４度移調したＦメジャーの楽曲に含まれるＤマイナーコードのルート音を示すピアノの鍵盤を表示した板状部材上のマーカー
６２０２  ピアノの鍵盤を表示した板状部材でＤ音を示す操作子
６２０９  水平方向に延長されたピアノの鍵盤を表示した板状部材でＡ音を示す操作子
【図１】
2008262139.tif 000003
【図２】
2008262139.tif 000004
【図３】
2008262139.tif 000005
【図４】
2008262139.tif 000006
【図５】
2008262139.tif 000007
【図６】
2008262139.tif 000008